(57)【特許請求の範囲】
【請求項１】
メインフレームを備え、このメインフレームの主板にはディスクを保持しつつ回転駆動するための回転駆動機構と前記ディスクに対してデータの読出し／書込みを行うためのヘッドをディスクの半径方向に駆動するためのヘッドキャリッジとを配設して成り、ディスクを出し入れする要素として、前記メインフレームの主板上に平行に、かつ外部からの加重力によって前記前後方向に摺動可能に組み込まれたイジェクトプレートと、このイジェクトプレートの両側端から上方に延びる側板部に設けられた案内溝に挿通される軸を有して、前記イジェクトプレートの前後方向の摺動に応じて上下方向に摺動するディスクホルダとを有するディスクドライバにおいて、前記ディスクホルダは、その主板の後縁側であって前記ヘッドキャリッジの移動範囲に対応する領域に切り欠きを有しており、この切り欠きの周辺に対応する前記ディスクホルダの主板にはその両側端の近くにまで至る上方に凸の絞り加工部を設けると共に、少なくとも前記後縁側のコーナ部に下方に向かう絞り加工部を設けたことを特徴とするディスクドライバ。
【発明の詳細な説明】
【０００１】
【発明の属する技術分野】
本発明は、磁気ディスク等、情報が記録・再生されるフレキシブルディスク部をケース内に収容して成る構造の情報記録再生ディスク（以後、単に、磁気ディスクと呼ぶ）を回転駆動して情報処理を行うディスクドライバに関し、特に、そのディスク出し入れ構造の改良に関する。
【０００２】
【従来の技術】
この種のディスクドライバのうち例えば磁気ディスクドライバでは、磁気ディスクを回転駆動して情報処理を行うにあたり、磁気ディスクを磁気ディスクドライバ内に取り込んで、磁気ディスクを保持しつつ回転駆動するためのディスクテーブルに保持すると共に、ディスクの所定位置に記録・再生用の磁気ヘッドをあてがう一方、情報処理後に磁気ディスクを磁気ディスクドライバ外へ取り出すためのディスク出し入れ構造を有している。
【０００３】
図４は、従来の磁気ディスクドライバについて、主にそのディスク出し入れ構造を抽出して示す分解斜視図である。図４において、この磁気ディスクドライバは、それぞれ板金をプレス成形して成るメインフレーム１１０と、イジェクトプレート１２０と、ディスクホルダ１３０とを有している。
【０００４】
メインフレーム１１０は、板状を呈する主板１１１と、主板１１１の両側端から直角上向きに延びる側板１１２、１１３と、主板１１１の後端から直角上向きに延びる背板１１４と、主板１１１の一部を切り起こして成る複数の支持片１１５、１１６（いずれも代表的に２つずつ図示する）とを一体に有している。これらの支持片１１５、１１６はそれぞれ、各切り起こしの一部を切り欠いて成る肩部１１５ａ、１１６ａを持っている。
【０００５】
メインフレーム１１０の主板１１１上には、磁気ディスクを保持しつつ回転駆動するためのディスクテーブル１４０と、上下一対の磁気ヘッドをディスク表裏面にてトラック方向に駆動するためのヘッドキャリッジ１５０とが、メインフレーム１１０の前後方向に並べて設けられている。また、メインフレーム１１０の背板１１４には、ステッピングモータ１６０がその螺旋溝付きの回転軸をメインフレーム１１０の前後方向に平行に向けた状態で設けられている。ディスクテーブル１４０は、メインフレームの下側から図示しないディスク回転用のモータのロータアセンブリに直結され、回転駆動される。ヘッドキャリッジ１５０は、ステッピングモータ１６０の回転軸の螺旋溝に掛合した掛合部材と主板１１１上に固定された案内シャフトの貫通した支持枠とを有しており、ステッピングモータ１６０が回転すると前記掛合部材がステッピングモータ１６０の回転方向に応じて前後方向に連動することにより、メインフレーム１１０の前後方向、即ち、磁気ディスクのトラック方向に直線運動する。
【０００６】
イジェクトプレート１２０は、略Ｕ字形の板状を呈する主板部１２１と、主板部１２１の両側端（Ｕ字の両辺外側）から直角上向きに延びる側板部１２２、１２３と、主板部１２１の前端（Ｕ字の底辺外側）から前方に延びるボタン取付部１２４と、メインフレーム１１０の支持片１１５、１１６に対応する位置に形成された複数の切欠１２５および複数の孔１２６と、側板部１２２、１２３それぞれに各々２つずつ形成された案内溝部１２７とを有している。案内溝部１２７はそれぞれ、イジェクトプレート１２０の前方側の水平部分と後方側の傾斜部分とを持っている。また、主板部１２１のＵ字左辺先端には、メインフレーム１１０に設けられるダンパギヤ（図示せず）と噛合する直線ギヤが形成されている。
【０００７】
尚、主板部１２１が略Ｕ字形を呈しているので、イジェクトプレート１２０は、メインフレーム１１０に取り付けられているディスクテーブル１４０やヘッドキャリッジ１５０の動作を阻害することなく、それ自体の摺動動作が実現される。
【０００８】
ディスクホルダ１３０は、図５、図６をも参照して、ヘッドキャリッジ１５０を避け得る切り欠き１３１ａを持つ主板部１３１と、主板部１３１の両側端から直角下向きに延び、さらにその先端が内方に延びることでディスクを把持可能な側板部１３２および１３３と、側板部１３２および１３３にてイジェクトプレート１２０の案内溝部１２７に対応する位置に外方へ突出する４つの軸１３４とを有している。そして、ディスクホルダ１３０は、メインフレーム１１０に取り付けられているイジェクトプレート１２０に対して、その軸１３４を案内溝部１２７に挿通させるようにして取付けられる。
【０００９】
このような構造により、ディスクホルダ１３０は、メインフレーム１１０に対して、上下方向に摺動可能である一方、前後方向や左右方向には殆んど動かぬよう規制される。よって、ディスクホルダ１３０は、イジェクトプレート１２０の案内溝部１２７の形状により、イジェクトプレート１２０の前後方向の摺動に応じて、上下方向に摺動可能である。また、イジェクトプレート１２０とディスクホルダ１３０との間には、引張バネ（図示せず）が張架される。これによって、イジェクトプレート１２０は、メインフレーム１１０の前方に牽引される。また、引張バネの牽引に反してメインフレーム１１０の後方に位置する箇所では、イジェクトプレート１２０は、ロック手段（図示せず）によってロックされる。さらに、ロック手段に連動してディスクを外部に排出する方向へ加重するイジェクト手段（図示せず）もある。また、ボタン取付部１２４には操作者がディスクのイジェクト操作をするためのボタン１７０が取り付けられる。なお、図示していないが、メインフレーム１１０には上記の構成要素を上側からカバーするための上カバー板と下側からカバーするための下カバー板とが組み合わされる。
【００１０】
【発明が解決しようとする課題】
ところで、これまでの磁気ディスクドライバでは、ディスクホルダ１３０はプレス加工、曲げ加工や絞り加工等を経てつくられる。特に、ディスクホルダ１３０は上方向からの加重圧力に対して弱いため、切り欠き部１３１ａの周辺に対応する領域には絞り加工により上方に凸とした絞り加工部１３５を設けている。
【００１１】
しかしながら、このような絞り加工部１３５だけでは、上カバー板を通して上方から押された場合に、図６中破線で示すような曲げ線で変形し易く、たわみを生ずるためにディスクホルダ１３０の板厚を厚くせざるを得ないという問題があった。
【００１２】
このような問題点に鑑み、本発明の課題とするところは、ディスクホルダの板厚を薄くしても上下方向からの押圧力に対して変形しにくいようにしたディスクドライバを提供することにある。
【００１３】
【課題を解決するための手段】
本発明は、メインフレームを備え、このメインフレームの主板にはディスクを保持しつつ回転駆動するための回転駆動機構と前記ディスクに対してデータの読出し／書込みを行うためのヘッドをディスクの半径方向に駆動するためのヘッドキャリッジとを配設して成り、ディスクを出し入れする要素として、前記メインフレームの主板上に平行に、かつ外部からの加重力によって前記前後方向に摺動可能に組み込まれたイジェクトプレートと、このイジェクトプレートの両側端から上方に延びる側板部に設けられた案内溝に挿通される軸を有して、前記イジェクトプレートの前後方向の摺動に応じて上下方向に摺動するディスクホルダとを有するディスクドライバにおいて、前記ディスクホルダは、その主板の後縁側であって前記ヘッドキャリッジの移動範囲に対応する領域に切り欠きを有しており、この切り欠きの周辺に対応する前記ディスクホルダの主板にはその両側端の近くにまで至る上方に凸の絞り加工部を設けると共に、少なくとも前記後縁側のコーナ部に下方に向かう絞り加工部を設けたことを特徴とする。
【００１４】
【発明の実施の形態】
以下に、図１〜図３を参照して本発明の実施の形態について説明する。図から明らかなように、本発明においては、ディスクホルダ３０の主板３１に設ける切り欠き３１ａは従来と同じ大きさであるが、その周辺に設ける絞り加工部３５についてはその幅方向の寸法を大きくしてディスクホルダ３０の両側端により近くなるようにした点に特徴を有する。特に、幅方向の寸法は、後端縁寄りにおいて寸法が漸減するようにしている。加えて、ディスクホルダ３０の後端縁、すなわち図３に示すようにヘッドキャリッジ１５０側（図４）の端縁のコーナ部Ｃ１，Ｃ２にも下方に向かう絞り加工部３６を設けている。このような絞り加工部３６は、コーナ部Ｃ１，Ｃ２のみならずディスクホルダ３０の側縁であって側板３２、３３の無い部分に設けられるのが好ましい。なお、図１、図２では本発明の要部に係わる部分以外の部分、たとえば側板３２、３３に設けられるべき図４の軸１３４等は図示を省略している。
【００１５】
いずれにしても、ディスクホルダ３０における絞り加工部３５の寸法を大きくすると共に後端縁寄りにおいて幅寸法が漸減するような特別な形状とし、加えて後端側のコーナ部Ｃ１，Ｃ２にも絞り加工部３６を設けたことにより、特に上方向からの加重による圧力に対して予想される、図６に示すような曲げ線に起因する変形に対して十分な強度を持たせることができる。すなわち、図４において説明したように、ディスクホルダ３０の上側には上カバー板が組み合わされるが、この上カバー板は通常、板厚が薄いので上方からの圧力には弱く、この圧力がディスクホルダ３０にそのまま加わる場合がある。このような場合であっても、ディスクホルダ３０の押圧力に対する強度が増加しているので変形、歪みが生ずることは無い。
【００１６】
【発明の効果】
以上説明してきたように、本発明によればディスクホルダに対して絞り加工による改良を加えたことにより、ディスクホルダの板厚を大きくせずとも上方からの押圧力に対して大きな強度を持たせることができ、強度増加のための材料コストアップを解消することができる。
【図面の簡単な説明】
【図１】本発明によるディスクホルダの平面図である。
【図２】図１のＡ−Ａ′線による断面図である。
【図３】図１のコーナ部Ｃ１を上下逆にして見た斜視図である。
【図４】一般的な磁気ディスクドライバの概略構成を示す分解斜視図である。
【図５】図４に示されたディスクホルダを後端側から見た図である。
【図６】図４に示されたディスクホルダの平面図である。
【符号の説明】
３０、１３０    ディスクホルダ
３１、１３１    主板
３１ａ、１３１ａ    切り欠き
３２、３３、１３２、１３３    側板
３５，３６    絞り加工部
Ｃ１，Ｃ２    コーナ部
【図１】
0003651502.tif 000002
【図２】
0003651502.tif 000003
【図３】
0003651502.tif 000004
【図４】
0003651502.tif 000005
【図５】
0003651502.tif 000006
【図６】
0003651502.tif 000007